(57)【要約】      （修正有）【課題】タブレット端末を収納すると共に、タブレット端末とノートの両方について利用の利便性を向上させることができるファスナー付きノートケースを提供する。【解決手段】第１のファスナーのスライダー１２とエレメント部１３で見開きに開閉するものであり、内側左面１０ａに左から出し入れする挿入口１５と、窓部１１を設けたタブレット端末２０を収納するポケット部を備え、内側右面１０ｂにはノート４０を収納して右端上側にペンホルダー１４を形成したものであり、外側面に収納スペースを形成し、その挿入口を第２のファスナーのスライダーとエレメント部で開閉するファスナー付きノートケースである。【選択図】図１
0003181115.tif 000002
【実用新案登録請求の範囲】
【請求項１】
見開き構造で、ノートを収納するノートケースであって、
当該ケースの外周に形成された第１のエレメント部を第１のスライダーで開閉する第１のファスナーを設けて前記ケースを開閉するものであり、
見開きの一方の内側面にタブレット端末を収納するポケット部を設け、見開きの他方の内側面にノートの一部を差し込む差込口を設け、
前記差込口にノートの一部が差し込まれて前記他方の内側面にノートが収納され、
前記ポケット部は、収納されるタブレット端末の表示画面に相当する部分に透明素材の窓部が形成され、前記タブレット端末を挿入する挿入口を収納されるノートの配置位置とは反対側に形成したことを特徴とするファスナー付きノートケース。
【請求項２】
ノートが収納される他方の内側面において、ポケット部とは反対側の端部にペンを保持するペンホルダーを設けたことを特徴とする請求項１記載のファスナー付きノートケース。
【請求項３】
ケースを閉じた状態で、他方の内側面のペンホルダーが一方の内側面の挿入口に接するよう設けられていることを特徴とする請求項２記載のファスナー付きノートケース。
【請求項４】
ノートが収納される他方の内側面において、ノートの差込口として、ノートの裏表紙を差し込む差込口と、ノートの表表紙を差し込む差込口を設けたことを特徴とする請求項１乃至３のいずれか記載のファスナー付きノートケース。
【請求項５】
外側面に収納スペースを形成し、当該収納スペースの挿入口に第２のエレメント部を第２のスライダーで開閉する第２のファスナーを設けたことを特徴とする請求項１乃至４のいずれか記載のファスナー付きノートケース。
【考案の詳細な説明】
【技術分野】
【０００１】
本考案は、ノートを収納するノートケースに係り、特に、タブレット端末も収納してタブレット端末とノートの利用の利便性を向上させるファスナー付きノートケースに関する。
【背景技術】
【０００２】
［先行技術の説明］
従来のファスナー付きノートケースには、ファスナーを開くと見開きになって、一方の内側の面にノートを保持し、他方の内側の面に小物を収納する複数のポケットが備えられている構成のものがあった。
そして、ファスナーを閉じると、ノートより少し大きめのブリーフケースのように持ち運び可能となるものであった。
【０００３】
［関連技術］
尚、関連する先行技術としては、特開平１０−３０１６６９号公報「携帯端末装置の収納構造」（特許文献１）、実用新案登録第３０１６７６７号公報「携帯用収納具」（特許文献２）、実用新案登録第３０５１２６２号公報「システムノート等携帯型ファイル」（特許文献３）がある。
【０００４】
特許文献１には、携帯端末装置を連結するアダプタを介して携帯端末装置をバインダ形式のシステムノートに装着することが記載されている。
特許文献２には、手帳類と携帯電話機を別個に収納可能で、収納した手帳類と携帯電話機の上下方向を一致させた本体を有することが記載されている。
特許文献３では、システムノートにおいて、その外側の面に携帯電話機を収納する格納袋状部を設けたことが記載されている。
【先行技術文献】
【特許文献】
【０００５】
【特許文献１】特開平１０−３０１６６９号公報
【特許文献２】実用新案登録第３０１６７６７号公報
【特許文献３】実用新案登録第３０５１２６２号公報
【考案の概要】
【考案が解決しようとする課題】
【０００６】
しかしながら、従来のノートを収納するノートケースでは、タブレット端末を収納すると共に、タブレット端末と収納したノートの双方の利便性を向上させるものとなっていないという問題点があった。
【０００７】
つまり、単純にタブレット端末を収納するという発想だけでなく、収納したタブレット端末と同時に収納しているノートの両方を如何に効率的に利用することについて配慮されていないものである。
【０００８】
尚、特許文献１〜３には、タブレット端末を収納し、タブレット端末とノートの双方の利便性を向上させることについては記載されていない。
【０００９】
本考案は上記実状に鑑みて為されたもので、タブレット端末を収納すると共に、タブレット端末とノートの両方について利用の利便性を向上させることができるファスナー付きノートケースを提供することを目的とする。
【課題を解決するための手段】
【００１０】
上記従来例の問題点を解決するための本考案は、見開き構造で、ノートを収納するノートケースであって、当該ケースの外周に形成された第１のエレメント部を第１のスライダーで開閉する第１のファスナーを設けてケースを開閉するものであり、見開きの一方の内側面にタブレット端末を収納するポケット部を設け、見開きの他方の内側面にノートの一部を差し込む差込口を設け、差込口にノートの一部が差し込まれて他方の内側面にノートが収納され、ポケット部は、収納されるタブレット端末の表示画面に相当する部分に透明素材の窓部が形成され、タブレット端末を挿入する挿入口を収納されるノートの配置位置とは反対側に形成したことを特徴とする。
【００１１】
本考案は、上記ファスナー付きノートケースにおいて、ケースを閉じた状態で、他方の内側面のペンホルダーが一方の内側面の挿入口に接するよう設けられていることを特徴とする。
【００１２】
本考案は、上記ファスナー付きノートケースにおいて、ノートが収納される他方の内側面において、ポケット部とは反対側の端部にペンを保持するペンホルダーを設けたことを特徴とする。
【００１３】
本考案は、上記ファスナー付きノートケースにおいて、ノートが収納される他方の内側面において、ノートの差込口として、ノートの裏表紙を差し込む差込口と、ノートの表表紙を差し込む差込口を設けたことを特徴とする。
【００１４】
本考案は、上記ファスナー付きノートケースにおいて、外側面に収納スペースを形成し、当該収納スペースの挿入口に第２のエレメント部を第２のスライダーで開閉する第２のファスナーを設けたことを特徴とする。
【考案の効果】
【００１５】
本考案によれば、見開き構造で、ノートを収納するノートケースであって、第１のファスナーを設けてケースを開閉するものであり、見開きの一方の内側面にタブレット端末を収納するポケット部を設け、見開きの他方の内側面にノートの一部を差し込む差込口を設け、ポケット部が、収納されるタブレット端末の表示画面に相当する部分に透明素材の窓部が形成され、タブレット端末を挿入する挿入口を収納されるノートの配置位置とは反対側に形成したファスナー付きノートケースとしているので、収納したノートを開いてページが窓部を覆ってもタブレット端末を横方向外側に容易に引き出すことができ、ノートとタブレット端末の両方について利用の利便性を向上させることができる効果がある。
【００１６】
本考案によれば、ケースを閉じた状態で、他方の内側面のペンホルダーが一方の内側面の挿入口に接するよう設けられている上記ファスナー付きノートケースとしているので、ペンホルダーにペンが装着された状態で、ケース外側を押さえ込んで保持している場合でも、タブレット端末の挿入口をペンホルダーとペンでふさぐため、タブレット端末を傷つけることがないという効果がある。
【００１７】
本考案によれば、外側面に収納スペースを形成し、当該収納スペースの挿入口に第２のエレメント部を第２のスライダーで開閉する第２のファスナーを設けた上記ファスナー付きノートケースとしているので、タブレット端末とノート以外にも小物を収納できる効果がある。
【図面の簡単な説明】
【００１８】
【図１】本ノートケースの概略図である。
【図２】本ノートケースの内側面を示す概略図である。
【図３】本ノートケースの外側面を示す概略図である。
【図４】本ノートケースが閉じた場合の側面を示す概略図である。
【図５】本ノートケースを閉じた状態の説明図である。
【考案を実施するための形態】
【００１９】
本考案の実施の形態について図面を参照しながら説明する。
［実施の形態の概要］
本考案の実施の形態に係るファスナー付きノートケースは、第１のファスナーで見開きに開閉するものであり、内側左面に外側（左）から出し入れする挿入口と、透明素材の窓部を設けたタブレット端末を収納するポケット部を備え、内側右面にはノートを収納して右端にペンホルダーを形成したものであり、タブレット端末を収納した状態で窓部の上から操作でき、ノートを開いて窓部が隠れる場合にはタブレット端末を挿入口から横方向（左方向）外側にスライドして引き出して使用できるので、ノートとタブレット端末の双方において利用の利便性を向上させることができるものである。
【００２０】
［実施の形態に係るファスナー付きノートケースの概略：図１］
本考案の実施の形態に係るファスナー付きノートケース（本ノートケース）について図１を参照しながら説明する。図１は、本ノートケースの概略図である。
本ノートケースは、第１のファスナーを開くと見開き（両開き）可能となる構造であって、両開き状態の内側の面にノートとタブレット端末等が収納可能となっている。尚、本ノートケースでは、タブレット端末の代わりに電子書籍リーダー端末やその他の携帯情報端末を収納してもよい。
図１においては、本ノートケースの内側の面にタブレット端末２０が収納され、ノート４０が装着され、ペン３０も装着されている状態となっている。尚、図１において、タブレット端末２０は、収納状況が分かるように、収納途中を示している。
【００２１】
［本ノートケースの内側面：図２］
本ノートケースの内側面について図２を参照しながら説明する。図２は、本ノートケースの内側面を示す概略図である。
本ノートケースは、図２に示すように、第１のファスナーのスライダー１２でエレメント部１３を開いた状態でその内側を示したものである。
つまり、スライダー１２（第１のスライダー）とエレメント部１３（第１のエレメント部）で第１のファスナーを構成している。エレメント部１３は、開いた状態の本ノートケース本体の外周に形成される。尚、図では、テープとそれに取り付けられたエレメントとを合わせてエレメント部１３と称している。
また、内側面は、例えば、ポリエステル等で形成されている。
【００２２】
本ノートケースの内側左面１０ａにはタブレット端末２０を収納するポケット部が形成されており、タブレット端末２０が収納された状態でもタブレット端末２０を操作可能とするために、タブレット端末２０の表示画面に相当する部分が透過性の素材による窓部１１を形成している。窓部１１は、例えば、ＰＶＣ（ポリ塩化ビニール）軟質シートを用いている。
【００２３】
そして、内側左面１０ａの左側に挿入口（タブレット挿入口）１５が形成されており、図１に示すように、タブレット端末２０は、内側左面１０ａの左側から挿入口１５に挿入され、また、取り出されるようになっている。
また、タブレット端末２０がポケットに収納された状態で、タブレット端末２０の電源スイッチ又は電源ボタンの位置に対応して、収納ポケットに電源オン／オフ用の切り欠きの窓を設けてもよい。
【００２４】
本ノートケースの内側右面１０ｂにはノート４０を収納するためのノートの一部を差し込む差込口が形成されており、具体的には、ノート４０の裏表紙を差し込む差込口（ノート裏表紙差込口）１６が内側右面１０ｂの左端に形成され、ノート４０の表表紙を差し込む差込口（ノート表表紙差込口）１７が内側右面１０ｂの右端に形成されている。
図１では、ノート４０の裏表紙を差込口１６に差し込んだ状態を示している。
【００２５】
また、内側右面１０ｂの右側の端部には、ペン３０を保持するペンホルダー１４が形成されている。ペンホルダー１４は、上からペンを差し込むためリング状で内側右面１０ｂに取り付けられ、図２の中央より上方向にずらして形成している。図１では、ペン３０がペンホルダー１４に装着されている状態を示している。
【００２６】
更に、本ノートケースの内側面の中央部分に、第１のファスナーのスライダー１２でエレメント部１３を閉じた場合に、本ノートケースの背の内側となる背内部１０ｃが形成されている。
本ノートケースでは、タブレット端末２０とノート４０を収納するため、その厚みにより従来のノートケースではファスナーを閉じることができなくなるので、背内部１０ｃの幅を従来に比べて長くし、更に、エレメント部１３におけるテープの幅を従来に比べて長くしている。
【００２７】
［本ノートケースの外側面：図３］
次に、本ノートケースの外側面について図３を参照しながら説明する。図３は、本ノートケースの外側面を示す概略図である。
本ノートケースの外側面は、図３に示すように、第１のファスナーのスライダー１２でエレメント部１３を開いた状態を示しており、外側右面１０ａ´と、外側左面１０ｂ´と、中央の外側背部１０ｃ´とから構成されている。
本ノートケースの外側面は、外側面の一方の外側右面１０ａ´に第２のファスナーのスライダー１８（第２のスライダー）とエレメント部１９（第２のエレメント部）が形成されている。エレメント部１９は、エレメントとテープで構成される。
【００２８】
第２のファスナーのスライダー１８でエレメント部１９を開くと、その内側が収納スペースとなっている。
収納スペースは、図３の本ノートケースの右端から中央の点線部分のＳまでとなっている。図３では収納の奥行きをＳまでとしたが、奥行きをエレメント部１９側に近づけてもよい。
収納スペースには、ペン、定規、ハサミ、携帯電話機、スマートフォン等の小物を収納できる。
【００２９】
図３では、本ノートケースの外側面における一方の外側右面１０ａ´に第２のファスナーのスライダー１８とエレメント部１９を形成したが、他方の外側左面１０ｂ´にも同様にスライダーとエレメント部を形成してもよい。
また、本ノートケースの外側面の素材を、例えばナイロンとしたが、収納スペースの中身を見ることができるように、ＰＶＣの透明シートの窓を設けてもよい。
【００３０】
［本ノートケースの側面：図４］
次に、本ノートケースが閉じた場合の側面について図４を参照しながら説明する。図４は、本ノートケースが閉じた場合の側面を示す概略図である。
本ノートケースは、図４に示すように、第１のファスナーのスライダー１２でエレメント部１３を閉じると、外側右面１０ａ´に対して外側左面１０ｂ´が反対方向を向くようになる。
上述したように、エレメント部１３のテープ幅は、タブレット端末２０とノート４０を収納するため、従来品に比べて広く、２２ｍｍ程度となっている。
【００３１】
本ノートケースでは、ノート４０として、Ｂ５ノートを収納するために、そのノートサイズより少し大きいＢ５サイズ、Ａ５ノートを収納するために、そのノートサイズより少し大きいＡ５サイズ、Ｂ６ノートを収納するために、そのノートサイズより少し大きいＢ６サイズがある。但し、上記サイズに限定するものではない。
【００３２】
［本ノートケースの使用例］
次に、本ノートケースの使用例について説明する。
ノート４０は、横書き用であれば、表表紙からめくるのが一般的であるため、本ノートケースのノート裏表紙差込口１６にノート４０の裏表紙を差し込むことが多い。
この場合であれば、ノート４０を開いた状態でも、ペンホルダー１４からペン３０を取り出し易い。
【００３３】
また、ノート４０を使用しないで、タブレット端末２０を使用する場合には、本ノートケースに収納したまま、窓部１１の上からタブレット端末２０を操作することになる。
ノート４０とタブレット端末２０の両方を使用する場合には、ノート裏表紙差込口１６にノート４０の裏表紙を差し込んだノート４０を開くと、開いたページ部分で窓部１１を覆うことになり、タブレット端末２０が使用できなくなる。
【００３４】
そのような場合、内側左面１０ａの挿入口１５から横方向（左方向、つまり外方向）にタブレット端末２０をスライドさせて引き出すようにすれば、タブレット端末２０とノート４０の双方が利用できる。
ここで、タブレット端末２０の取り出しには、上下方向も考えられるが、ノート４０の目線と同じ横方向へのスライドの方が見やすいし、取り出しの操作も簡単である。
【００３５】
尚、タブレット端末２０を主に使用するのであれば、ノート４０は、表表紙をノート表表紙差込口１７に差し込むようにすれば、ノート４０のページを開いても窓部１１を覆うことがない。
【００３６】
［本ノートケースの持ち運び］
本ノートケースは、第１のファスナーのスライダー１２でエレメント部１３を閉じた状態で持ち運びを通常行う。但し、第１のファスナーのスライダー１２でエレメント部１３を開いた状態（ファスナーの閉じ忘れ）で本ノートケースを持ち運ぶことがある。
この場合、本ノートケースの外側背部１０ｃ´を下にして持ち運ぶ場合はよいが、外側背部１０ｃ´を上にして持ち運ぶ場合に、タブレット端末２０の挿入口１５が下側を向くため、タブレット端末２０が滑り出して落ちてしまう可能性があるので、注意が必要である。
【００３７】
また、本ノートケースで、ペンホルダー１４にペン３０を差し込んでいる場合には、タブレット端末２０の挿入口１５をペンホルダー１４とペン３０でふさぐことになるため、タブレット端末２０を傷つけることがない。
その理由について、以下に説明する。
【００３８】
［左右を閉じた状態の説明：図５］
図５は、本ノートケースを閉じた状態の説明図である。図５では、本ノートケースの左右が閉じられてはいるが、第１のファスナーのスライダー１２でエレメント部１３まで閉じていないものである。また、図５では、内部状況を分かるように点線で表示している。
本ノートケースを閉じた状態では、図５に示すように、本ノートケースの内側左面１０ａの挿入口１５に、内側右面１０ｂのペンホルダー１４とペン３０が当たるようになる。
【００３９】
本ノートケースの外側右面１０ａ´と外側左面１０ｂ´を押さえ込むように保持している場合でも、内側左面１０ａの挿入口１５を内側右面１０ｂのペンホルダー１４とペン３０で押さえ込むことになるので、挿入口１５をふさいでタブレット端末２０を傷つけることがない。
【００４０】
［実施の形態の効果］
本ノートケースによれば、第１のファスナーのスライダー１２とエレメント部１３で見開きに開閉するものであり、内側左面１０ａに左から出し入れする挿入口１５と、窓部１１を設けたタブレット端末２０を収納するポケット部を備え、内側右面１０ｂにはノート４０を収納して右端上側にペンホルダー１４を形成したものであり、タブレット端末２０を収納した状態で窓部１１の上から操作でき、ノート４０を開いて窓部１１が隠れる場合にはタブレット端末２０を挿入口１５から横方向（左方向）にスライドして引き出して使用できるので、ノート４０とタブレット端末２０の双方の利便性を向上させることができる効果がある。
【００４１】
また、本ノートケースによれば、第１のファスナーのスライダー１２でエレメント部１３を閉じていなくても、外側右面１０ａ´と外側左面１０ｂを押さえるよう保持していれば、ペンホルダー１４とペン３０で挿入口１５を押さえ込むため、タブレット端末２０を傷つけることがないという効果がある。
【００４２】
また、本ノートケースによれば、内側の面にはタブレット端末２０とノート４０を収納して、内側面に小物を収納するスペースがないが、外側の面に第２のファスナーのスライダー１８とエレメント部１９を形成しているので、小物を収納できる効果がある。
【産業上の利用可能性】
【００４３】
本考案は、タブレット端末を収納すると共に、タブレット端末とノートの両方について利用の利便性を向上させることができるファスナー付きノートケースに適している。
【符号の説明】
【００４４】
１０ａ...内側左面、  １０ａ´...外側右面、  １０ｂ...内側右面、  １０ｂ´...外側左面、  １０ｃ...背内部、  １０ｃ´...外側背部、  １１...窓部、  １２...第１のスライダー、  １３...第１のエレメント部、  １４...ペンホルダー、  １５...挿入口、  １６...ノート裏表紙差込口、  １７...ノート表表紙差込口、  １８...第２のスライダー、  １９...第２のエレメント部、  ２０...タブレット端末、  ３０...ペン、  ４０...ノート
【図１】
0003181115.tif 000003
【図２】
0003181115.tif 000004
【図３】
0003181115.tif 000005
【図４】
0003181115.tif 000006
【図５】
0003181115.tif 000007